(57)【要約】【課題】  入力部外縁と開口部内縁との間の隙間が小さく、見栄えが良い揺動スイッチを提供することを課題とする。【解決手段】  揺動スイッチ１は、意匠パネル９の開口部９０に配置される入力部２０と、入力部２０の裏側に配置されるスイッチ側ガイド部２１０と、を持つスイッチ本体２と、意匠パネル９の裏側に配置され、スイッチ側ガイド部２１０が摺接することにより、入力部２０の表面に略一致した揺動中心Ｏで、スイッチ本体２を揺動させるパネル側ガイド部６０と、を備えてなることを特徴とする。【選択図】  図４
2005294122.tif 000002
【特許請求の範囲】
【請求項１】
意匠パネルの開口部に配置される入力部と、該入力部の裏側に配置されるスイッチ側ガイド部と、を持つスイッチ本体と、
該意匠パネルの裏側に配置され、該スイッチ側ガイド部が摺接することにより、該入力部の表面に略一致した揺動中心で、該スイッチ本体を揺動させるパネル側ガイド部と、
を備えてなる揺動スイッチ。
【請求項２】
前記パネル側ガイド部は、前記意匠パネルと一体に形成されている請求項１に記載の揺動スイッチ。
【請求項３】
前記スイッチ側ガイド部と前記パネル側ガイド部との対は、前記揺動中心を中心に、所定角度だけ離間して、複数配置されている請求項１に記載の揺動スイッチ。
【請求項４】
前記入力部の表面と前記意匠パネルの表面とは、略面一である請求項１に記載の揺動スイッチ。
【請求項５】
さらに、前記意匠パネルの裏側に、揺動部材と、第二パネル側ガイド部と、を備え、
該揺動部材は、前記パネル側ガイド部と、該第二パネル側ガイド部に摺接する揺動部材側ガイド部と、を持ち、
該第二パネル側ガイド部と該揺動部材側ガイド部との摺接により、前記スイッチ本体は、前記入力部の表面に略一致した揺動中心で、かつ前記スイッチ側ガイド部と該パネル側ガイド部との摺接による揺動方向に対して交差する方向に、揺動可能な請求項１に記載の揺動スイッチ。
【発明の詳細な説明】
【技術分野】
【０００１】
本発明は、各種機器の操作部に指示入力用として配設される揺動スイッチに関する。
【背景技術】
【０００２】
揺動スイッチは、任意の揺動軸を中心に入力部が揺動するように構成されている。揺動スイッチは、例えば音響機器、空調機器などの操作部に配設されている。特許文献１には、音響機器において、音量の増減や受信チャンネルのチューニングなどに用いられる揺動スイッチが紹介されている。
【０００３】
図１２に、従来の揺動スイッチの長手方向断面図を示す。（ａ）は入力待ち状態を、（ｂ）、（ｃ）は入力状態を、それぞれ示す。図に示すように、揺動スイッチ１００は、入力部１０１と揺動アーム１０２とを備えている。入力部１０１は、意匠パネル１０３に開設された開口部１０５内に配置されている。揺動アーム１０２は、入力部１０１の裏面から突設されている。揺動アーム１０２の先端は、揺動軸１０４に枢支されている。揺動軸１０４は、意匠パネル１０３裏側に固定されている。
【特許文献１】特開平８−１０２２３２号公報
【発明の開示】
【発明が解決しようとする課題】
【０００４】
操作者が、入力部１０１を表側から押圧すると、揺動スイッチ１００は、（ａ）〜（ｃ）に示すように、揺動軸１０４を中心に、ちょうどシーソーのように揺動する。ここで、入力部１０１外縁と開口部１０５内縁との間の、意匠パネル１０３表面垂直方向から見た隙間ｄ１は、揺動角度により変化する。（ｂ）に示すように、入力により、紙面時計回り方向に入力部１０１が揺動すると、隙間ｄ１は小さくなる。一方、（ｃ）に示すように、入力により、紙面反時計回り方向に入力部１０１が揺動すると、隙間ｄ１は大きくなる。
【０００５】
（ｂ）に示すように、隙間ｄ１が小さくなると、入力部１０１外縁と開口部１０５内縁とが干渉するおそれがある。このため、（ａ）に示す入力待ち状態の隙間ｄ１は、入力時における隙間の変化を加味して、比較的大きく設定されている。並びに、隙間ｄ１と長手方向に対向する隙間（（ｃ）の場合に小さくなる隙間）も、同様の理由により、比較的大きく設定されている。したがって、従来の揺動スイッチは見栄えが悪かった。
【０００６】
本発明の揺動スイッチは、上記課題に鑑みて完成されたものである。したがって、本発明は、入力部外縁と開口部内縁との間の隙間が小さく、見栄えが良い揺動スイッチを提供することを目的とする。
【課題を解決するための手段】
【０００７】
（１）上記課題を解決するため、本発明の揺動スイッチは、意匠パネルの開口部に配置される入力部と、該入力部の裏側に配置されるスイッチ側ガイド部と、を持つスイッチ本体と、該意匠パネルの裏側に配置され、該スイッチ側ガイド部が摺接することにより、該入力部の表面に略一致した揺動中心で、該スイッチ本体を揺動させるパネル側ガイド部と、を備えてなることを特徴とする。
【０００８】
本発明の揺動スイッチによると、入力時に、入力部外縁と開口部内縁との間の隙間（以下、適宜「隙間」と略称する）が小さくなるのを加味して、入力待ち状態における隙間を設定する必要がない。このため、入力待ち状態における隙間を最小にすることができる。
【０００９】
（２）好ましくは、前記パネル側ガイド部は、前記意匠パネルと一体に形成されている構成とする方がよい。仮に、パネル側ガイド部と意匠パネルとが別体の場合、パネル側ガイド部を介して、揺動スイッチと意匠パネルとが組み付けられることになる。このため、入力部外縁と開口部内縁との間の隙間に、パネル側ガイド部に起因する誤差（例えばパネル側ガイド部自体の成形誤差、パネル側ガイド部とスイッチ本体との組み付け誤差など）を含める必要がある。この点、本構成によると、隙間に、パネル側ガイド部に起因する誤差を含める必要がない。このため、隙間を小さくすることができる。
【００１０】
（３）好ましくは、前記スイッチ側ガイド部と前記パネル側ガイド部との対は、前記揺動中心を中心に、所定角度だけ離間して、複数配置されている構成とする方がよい。スイッチ側ガイド部およびパネル側ガイド部は、摺動方向に対して垂直方向に、揺動スイッチのがたつきを規制している。本構成によると、スイッチ側ガイド部とパネル側ガイド部との対が、異なる角度で複数配置されている。このため、揺動スイッチの複数方向のがたつきを規制することができる。
【００１１】
（４）好ましくは、前記入力部の表面と前記意匠パネルの表面とは、略面一である構成とする方がよい。本構成によると、入力部外縁と開口部内縁との間の隙間が小さいこととも相俟って、揺動スイッチと意匠パネルとの意匠的統一感が高くなる。
【００１２】
（５）好ましくは、さらに、前記意匠パネルの裏側に、揺動部材と、第二パネル側ガイド部と、を備え、該揺動部材は、前記パネル側ガイド部と、該第二パネル側ガイド部に摺接する揺動部材側ガイド部と、を持ち、該第二パネル側ガイド部と該揺動部材側ガイド部との摺接により、前記スイッチ本体は、前記入力部の表面に略一致した揺動中心で、かつ前記スイッチ側ガイド部と該パネル側ガイド部との摺接による揺動方向に対して交差する方向に、揺動可能な構成とする方がよい。本構成によると、二方向にスイッチ本体を揺動させることができる。このため、スイッチ本体に入力できる指示の種類が増える。
【発明の効果】
【００１３】
本発明によると、入力部外縁と開口部内縁との間の隙間が小さく、見栄えが良い揺動スイッチを提供することができる。
【発明を実施するための最良の形態】
【００１４】
以下、本発明の揺動スイッチを車両の空調機器の温度調整スイッチとして具現化した実施の形態について説明する。
【００１５】
＜第一実施形態＞
まず、本実施形態の揺動スイッチの構成について説明する。図１に、本実施形態の揺動スイッチの分解斜視図を示す。図２に、同揺動スイッチの合体斜視図を示す。図３に、図２のＩ−Ｉ断面図を示す。図４に、図２のＩＩ−ＩＩ断面図を示す。なお、説明の便宜上、図２においてインストルメントパネルを透過して示す。また、図４においてアームを省略して示す。
【００１６】
本実施形態の揺動スイッチ１は、スイッチ本体２と支持部材６とを備えている。スイッチ本体２は、入力部２０と、一対のアーム２１と、一対のロッド２２ａ、２２ｂと、を備えている。
【００１７】
入力部２０は、樹脂製であって矩形板状を呈している。入力部２０の表面には、一対の矢印２００ａ、２００ｂが、向かい合う短辺の略中央に、対向して印刷されている。入力部２０は、車室内のインストルメントパネル９に開設された矩形の開口部９０内に配置されている。インストルメントパネル９は、本発明の意匠パネルに含まれる。
【００１８】
一対のアーム２１は、矩形板状を呈している。アーム２１は、入力部２０の裏面から突設されている。一対のアーム２１は、向かい合う長辺の略中央に、対向して配置されている。各々のアーム２１の先端外面には、ガイド突起２１０が形成されている。ガイド突起２１０は、本発明のスイッチ側ガイド部に含まれる。ガイド突起２１０は、部分円弧状を呈している。ガイド突起２１０の円弧中心は、入力部２０表面の長辺方向の略中央に設定されている。
【００１９】
一対のロッド２２ａ、２２ｂは、丸棒状を呈している。ロッド２２ａ、２２ｂは、入力部２０の裏面から突設されている。一対のロッド２２ａ、２２ｂは、向かい合う短辺の略中央に、対向して配置されている。ロッド２２ａは、前記矢印２００ａと、表裏方向に対向している。並びに、ロッド２２ｂは、前記矢印２００ｂと、表裏方向に対向している。
【００２０】
支持部材６は、樹脂製であって角筒状を呈している。支持部材６は、インストルメントパネル９の裏側に配置されたゴム板７上に搭載されている。支持部材６の対向する二壁には、一対のガイド溝６０が形成されている。ガイド溝６０は、本発明のパネル側ガイド部に含まれる。ガイド溝６０は、部分円弧状を呈している。ガイド溝６０の円弧中心は、入力部２０表面の長辺方向の略中央に設定されている。ガイド溝６０には、前記ガイド突起２１０が摺動可能に挿入されている。したがって、スイッチ本体２は、入力部２０表面の長辺方向の略中央を揺動中心Ｏ（図４参照）として、揺動可能である。ガイド溝６０が形成されていない残りの二壁の外面には、ピン挿入部６１ａ、６１ｂが形成されている。ピン挿入部６１ａには挿入孔６１０ａが、ピン挿入部６１ｂには挿入孔６１０ｂが、それぞれ穿設されている。挿入孔６１０ａには、樹脂製であって丸棒状の入力ピン６２ａが挿入されている。同様に、挿入孔６１０ｂには、樹脂製であって丸棒状の入力ピン６２ｂが挿入されている。入力ピン６２ａの表側には、前記ロッド２２ａが配置されている。同様に、入力ピン６２ｂの表側には、前記ロッド２２ｂが配置されている。
【００２１】
ゴム板７には、押圧凸部７０ａ、７０ｂが形成されている。押圧凸部７０ａの表側には、入力ピン６２ａが配置されている。同様に、押圧凸部７０ｂの表側には、入力ピン６２ｂが配置されている。押圧凸部７０ａ、７０ｂ間には、ＬＥＤ（ｌｉｇｈｔ  ｅｍｉｔｔｉｎｇ  ｄｉｏｄ）７２が配置されている。ＬＥＤ７２は、ゴム板７裏側の基板７１から、ゴム板７を貫通して突設されている。ＬＥＤ７２は、車幅灯（図略）に連動して、入力部２０を裏側から照射する。
【００２２】
次に、本実施形態の揺動スイッチの動きについて説明する。図４に示すように、矢印２００ａとロッド２２ａと入力ピン６２ａと押圧凸部７０ａとは、表裏方向に直列に並んでいる。操作者が矢印２００ａを押圧すると、アーム（図略）のガイド突起２１０がガイド溝６０内を、紙面反時計回り方向に摺動する。このため、スイッチ本体２は、揺動中心Ｏを中心に、紙面反時計回り方向に揺動する。したがって、操作者の押圧力は、ロッド２２ａ、入力ピン６２ａを介して、押圧凸部７０ａに伝達される。図５に示すように、伝達された押圧力により、押圧凸部７０ａは基板７１方向に押し込まれる。押し込まれた押圧凸部７０ａにより、基板７１上の素子（図略）は温度調整信号を発信する。このようにして、操作者の温度調整の指示が空調機器に伝送される。操作者が押圧を止めると、押圧凸部７０ａの反力により、再び図４に示す入力待ち状態に戻る。
【００２３】
なお、図５に示すように、操作者が矢印２００ａを押圧すると、入力部２０外縁と開口部９０内縁との間の、インストルメントパネル９表面垂直方向から見た隙間ｄ２は、図４に示す入力待ち状態と比較して、若干大きくなる。
【００２４】
同様に、図４に示すように、矢印２００ｂとロッド２２ｂと入力ピン６２ｂと押圧凸部７０ｂとは、表裏方向に直列に並んでいる。操作者が矢印２００ｂを押圧すると、アーム（図略）のガイド突起２１０がガイド溝６０内を、紙面時計回り方向に摺動する。このため、スイッチ本体２は、揺動中心Ｏを中心に、紙面時計回り方向に揺動する。したがって、操作者の押圧力は、ロッド２２ｂ、入力ピン６２ｂを介して、押圧凸部７０ｂに伝達される。図６に示すように、伝達された押圧力により、押圧凸部７０ｂは基板７１方向に押し込まれる。押し込まれた押圧凸部７０ｂにより、基板７１上の素子（図略）は温度調整信号を発信する。このようにして、操作者の温度調整の指示が空調機器に伝送される。操作者が押圧を止めると、押圧凸部７０ｂの反力により、再び図４に示す入力待ち状態に戻る。
【００２５】
なお、図６に示すように、操作者が矢印２００ｂを押圧すると、入力部２０外縁と開口部９０内縁との間の、インストルメントパネル９表面垂直方向から見た隙間ｄ２は、図４に示す入力待ち状態と比較して、若干大きくなる。
【００２６】
次に、本実施形態の揺動スイッチの作用効果について説明する。本実施形態の揺動スイッチ１によると、揺動中心Ｏが入力部２０表面に一致して配置されている。このため、入力部２０外縁と開口部９０内縁との間の隙間ｄ２は、図４に示す入力待ち状態において、最小となる。したがって、見栄えが良い。
【００２７】
また、入力部２０の表面とインストルメントパネル９の表面とは、入力待ち状態において面一である。したがって、隙間ｄ２が小さいこととも相俟って、入力部２０とインストルメントパネル９との意匠的統一感が高くなる。
【００２８】
＜第二実施形態＞
本実施形態と第一実施形態との相違点は、支持部材が配置されていない点である。また、スイッチ本体にガイド溝が、インストルメントパネルにガイド突起が、それぞれ配置されている点である。したがって、ここでは相違点についてのみ説明する。
【００２９】
図７に、本実施形態の揺動スイッチの短手方向断面図を示す。なお、図３と対応する部位については同じ符号で示す。図に示すように、アーム２１にはガイド溝２３が形成されている。ガイド溝２３は、本発明のスイッチ側ガイド部に含まれる。ガイド溝２３は、部分円弧状を呈している。ガイド溝２３の円弧中心は、入力部２０表面の長辺方向の略中央に設定されている。
【００３０】
一方、開口部９０内縁からは、裏方向に一対のパネル側アーム９１が突設されている。一対のパネル側アーム９１は、一対のアーム２１の外側に配置されている。パネル側アーム９１の内面からは、ガイド突起９１０が突設されている。ガイド突起９１０は、本発明のパネル側ガイド部に含まれる。ガイド突起９１０は、部分円弧状を呈している。ガイド突起９１０の円弧中心は、前記ガイド溝２３の円弧中心と一致している。ガイド突起９１０は、ガイド溝２３内を、相対的に摺動可能である。
【００３１】
本実施形態の揺動スイッチ１は、第一実施形態の揺動スイッチと同様の作用効果を有する。また、本実施形態の揺動スイッチ１には、支持部材が配置されていない。このため、部品点数が少なくて済む。
【００３２】
また、入力部２０外縁と開口部９０内縁との間の隙間に、支持部材に起因する誤差（例えば支持部材自体の成形誤差、支持部材とスイッチ本体２との組み付け誤差、支持部材と開口部９０とのずれなど）を含める必要がない。したがって、さらに、入力部２０外縁と開口部９０内縁との間の隙間を小さくすることができる。
【００３３】
＜第三実施形態＞
本実施形態と第一実施形態との相違点は、ガイド突起およびガイド溝とが、合計三対配置されている点である。したがって、ここでは相違点についてのみ説明する。
【００３４】
図８に、本実施形態の揺動スイッチの長手方向断面図を示す。なお、図４と対応する部位については同じ符号で示す。また、入力部よりも裏側の部材については、説明の便宜上、ガイド突起およびガイド溝のみ示す。図に示すように、円柱状のガイド突起２１０ａ〜２１０ｃは、揺動中心Ｏを中心に、所定角度だけ離間して配置されている。ガイド突起２１０ａ〜２１０ｃは、それぞれ本発明のスイッチ側ガイド部に含まれる。同様に、部分円弧状のガイド溝６０ａ〜６０ｃは、揺動中心Ｏを中心に、所定角度だけ離間して配置されている。ガイド溝６０ａ〜６０ｃは、それぞれ本発明のパネル側ガイド部に含まれる。ガイド溝６０ａ内にはガイド突起２１０ａが、ガイド溝６０ｂ内にはガイド突起２１０ｂが、ガイド溝６０ｃ内にはガイド突起２１０ｃが、それぞれ摺接している。このため、スイッチ本体２は、揺動中心Ｏを中心に、揺動可能である。
【００３５】
本実施形態の揺動スイッチ１は、第一実施形態の揺動スイッチと同様の作用効果を有する。また、本実施形態のガイド溝６０ａは、入力部２０の表面方向と略平行に延びている。このため、ガイド溝６０ａとガイド突起２１０ａとの係合により、スイッチ本体２が表裏方向にがたつくのを抑制することができる。一方、本実施形態のガイド溝６０ｂ、６０ｃは、入力部２０の表面方向に対して７０°程度立ち上がって延びている。このため、ガイド溝６０ｂとガイド突起２１０ｂとの係合、およびガイド溝６０ｃとガイド突起２１０ｃとの係合により、スイッチ本体２が主に入力部２０の表面方向にがたつくのを抑制することができる。
【００３６】
＜第四実施形態＞
本実施形態と第一実施形態との相違点は、スイッチ本体が片持ち梁状に揺動する点である。したがって、ここでは相違点についてのみ説明する。
【００３７】
図９に、本実施形態の揺動スイッチの長手方向断面図を示す。なお、図４と対応する部位については同じ符号で示す。また、入力部よりも裏側の部材については、説明の便宜上、ガイド突起およびガイド溝のみ示す。図に示すように、ガイド突起２１０は、円柱状を呈している。ガイド突起２１０は、ガイド溝６０内に摺接している。この摺接により、スイッチ本体２は、入力部２０表面端に設定された揺動中心Ｏを中心に、揺動可能である。本実施形態の揺動スイッチ１は、第一実施形態の揺動スイッチと同様の作用効果を有する。
【００３８】
＜第五実施形態＞
本実施形態と第一実施形態との相違点は、スイッチ本体が二方向に揺動する点である。したがって、ここでは相違点についてのみ説明する。
【００３９】
図１０に、本実施形態の揺動スイッチの分解斜視図を示す。なお、図１と対応する部位については同じ符号で示す。図１１に、同揺動スイッチの合体斜視図を示す。なお、図２と対応する部位については同じ符号で示す。説明の便宜上、これらの図において、インストルメントパネルは透過して示す。
【００４０】
図に示すように、インストルメントパネル９の裏面からは、一対のパネル側アーム９１が突設されている。パネル側アーム９１には、第二ガイド溝９１１が形成されている。第二ガイド溝９１１は、本発明の第二パネル側ガイド部に含まれる。第二ガイド溝９１１は、部分円弧状を呈している。
【００４１】
また、インストルメントパネル９の裏側には、揺動部材３が配置されている。揺動部材３は、樹脂製であって矩形枠体状を呈している。揺動部材３の対向する二壁の外面からは、それぞれ揺動部材側ガイド突起３２が突設されている。揺動部材側ガイド突起３２は、本発明の揺動部材側ガイド部に含まれる。揺動部材側ガイド突起３２は、部分円弧状を呈している。揺動部材側ガイド突起３２は、前記第二ガイド溝９１１内に摺接している。この摺接により、スイッチ本体２は、入力部２０表面と一致する揺動中心Ｏ２を中心に、揺動可能である。
【００４２】
揺動部材３における揺動部材側ガイド突起３２が配置されていない残りの二壁には、それぞれガイド溝３１が形成されている。ガイド溝３１は、本発明のパネル側ガイド部に含まれる。ガイド溝３１は、部分円弧状を呈している。ガイド溝３１内には、スイッチ本体２のガイド突起２１０が摺接している。この摺接により、スイッチ本体２は、入力部２０表面と一致する揺動中心Ｏ１を中心に、揺動可能である。また、揺動部材３には、ロッド３０ｃ、３０ｄが配置されている。ロッド３０ｃ、３０ｄは、一対のガイド溝３１が配置された二壁の端部から突設されている。なお、ロッド２２ａ、２２ｂ、３０ｃ、３０ｄの裏方向には、それぞれ、入力ピンと押圧凸部とが直列に配置されている。
【００４３】
操作者が、矢印２００ａあるいは矢印２００ｂを押圧すると、ガイド突起２１０がガイド溝３１内を摺動する。そして、スイッチ本体２が、揺動部材３の枠内において、揺動中心Ｏ１を中心に揺動する。このため、押圧力が、ロッド２２ａあるいはロッド２２ｂを介して、基板（図略）に伝送される。
【００４４】
一方、操作者が、矢印２００ｃあるいは矢印２００ｄを押圧すると、揺動部材側ガイド突起３２が第二ガイド溝９１１内を摺動する。そして、スイッチ本体２および揺動部材３が、揺動中心Ｏ２を中心に揺動する。このため、押圧力が、ロッド３０ｃあるいはロッド３０ｄを介して、基板に伝送される。
【００４５】
本実施形態の揺動スイッチ１は、第一実施形態の揺動スイッチと同様の作用効果を有する。また、本実施形態の揺動スイッチ１は、揺動中心Ｏ１、Ｏ２を各々中心とする二方向に揺動可能である。このため、操作者が入力できる指示のバリエーションが多くなる。
【００４６】
＜その他＞
以上、本発明の揺動スイッチの実施の形態について説明した。しかしながら、実施の形態は上記形態に特に限定されるものではない。当業者が行いうる種々の変形的形態、改良的形態で実施することも可能である。例えば、本実施形態の揺動スイッチは、空調機器のみならず、音響機器、ナビゲーション機器、家電製品などあらゆる機器に用いることができる。
【００４７】
なお、インストルメントパネル９のようにフラッシュサーフェイス化が望まれる意匠パネルに、本発明の揺動スイッチを組み合わせると、開口部とスイッチ本体との間の隙間が小さいため、特に有効である。
【図面の簡単な説明】
【００４８】
【図１】第一実施形態の揺動スイッチの分解斜視図である。
【図２】同揺動スイッチの合体斜視図である。
【図３】図２のＩ−Ｉ断面図である。
【図４】図２のＩＩ−ＩＩ断面図である。
【図５】同揺動スイッチの入力状態（一方向）における長手方向断面図である。
【図６】同揺動スイッチの入力状態（他方向）における長手方向断面図である。
【図７】第二実施形態の揺動スイッチの短手方向断面図である。
【図８】第三実施形態の揺動スイッチの長手方向断面図である。
【図９】第四実施形態の揺動スイッチの長手方向断面図である。
【図１０】第五実施形態の揺動スイッチの分解斜視図である。
【図１１】同揺動スイッチの合体斜視図である。
【図１２】従来の揺動スイッチの長手方向断面図である。
【符号の説明】
【００４９】
１：揺動スイッチ、２：スイッチ本体、２０：入力部、２００ａ：矢印、２００ｂ：矢印、２１：アーム、２１０：ガイド突起（スイッチ側ガイド部）、２１０ａ〜２１０ｃ：ガイド突起（スイッチ側ガイド部）、２２ａ：ロッド、２２ｂ：ロッド、２３：ガイド溝（スイッチ側ガイド部）、３：揺動部材、３０ｃ：ロッド、３０ｄ：ロッド、３１：ガイド溝（パネル側ガイド部）、３２：揺動部材側ガイド突起（揺動部材側ガイド部）、６：支持部材、６０：ガイド溝（パネル側ガイド部）、６０ａ〜６０ｃ：ガイド溝（パネル側ガイド部）、６１ａ：ピン挿入部、６１ｂ：ピン挿入部、６１０ａ：挿入孔、６１０ｂ：挿入孔、６２ａ：入力ピン、６２ｂ：入力ピン、７：ゴム板、７０ａ：押圧凸部、７０ｂ：押圧凸部、７１：基板、７２：ＬＥＤ、９：インストルメントパネル（意匠パネル）、９０：開口部、９１：パネル側アーム、９１０：ガイド突起（パネル側ガイド部）、９１１：第二ガイド溝（第二パネル側ガイド部）、Ｏ：揺動中心、Ｏ１：揺動中心、Ｏ２：揺動中心。
【図１】
2005294122.tif 000003
【図２】
2005294122.tif 000004
【図３】
2005294122.tif 000005
【図４】
2005294122.tif 000006
【図５】
2005294122.tif 000007
【図６】
2005294122.tif 000008
【図７】
2005294122.tif 000009
【図８】
2005294122.tif 000010
【図９】
2005294122.tif 000011
【図１０】
2005294122.tif 000012
【図１１】
2005294122.tif 000013
【図１２】
2005294122.tif 000014